(57)【要約】【課題】湾曲した護岸を構築することができ、植生や環境保全が可能な護岸ブロックを提供する。【解決手段】４辺の側壁１，２，３，４と底壁５とから箱型に構成されたコンクリートブロックであって、短辺側の側壁３，４には他の護岸ブロックＡと結合するための係合ピンＰ１の胴部を挿入するピン穴１１，１２が縦向きに形成されており、底壁５には、他の護岸ブロックＡに挿入している係合ピンＰ１の頭部を遊動可能に収容する遊嵌凹部１３が形成されている。遊嵌凹部１３は底面視でみて、中央部の幅Ｗ１が狭く、両端に至るにしたがって幅Ｗ２が広くなるよう形成されている。コンクリートブロックは、ポーラスコンクリート製である。【選択図】図１
0003118346.tif 000002
【実用新案登録請求の範囲】
【請求項１】
４辺の側壁と底壁とから箱型に構成されたコンクリートブロックであって、
前記側壁には他のコンクリートブロックと結合するための係合ピンの胴部を挿入するピン穴が縦向きに形成されており、
前記底壁には、他のコンクリートブロックに挿入している係合ピンの頭部を遊動可能に収容する遊嵌凹部が形成されている
ことを特徴とする護岸ブロック。
【請求項２】
前記遊嵌凹部が底面視でみて、中央部の幅が狭く、両端に至るにしたがって広幅となるよう形成されている
ことを特徴とする護岸ブロック。
【請求項３】
前記コンクリートブロックが、ポーラスコンクリート製である
ことを特徴とする護岸ブロック。
【考案の詳細な説明】
【技術分野】
【０００１】
本考案は、護岸ブロックに関する。さらに詳しくは、客土植生護岸や環境保全護岸などに用いる護岸用のコンクリートブロックに関する。
【背景技術】
【０００２】
従来のコンクリートブロックとして、つぎの従来技術１，２（特許文献１，２参照）がある。
従来技術１は、通水機能や植物の通根、あるいは土砂等の吸い出し防止等の機能を有する多孔質ブロックである。プレキャストコンクリート製ブロックの背面側に多孔質素材を一体にして通水、通根、土砂の吸い出し防止機能を付与している。多孔質素材はポーラスコンクリートである。この背面多孔質ブロックを用いて擁壁を構築するものであり、背面の多孔質素材には、ブロック内面側または外面側へは水供給手段を設けている。
【０００３】
従来技術２は、腐食や摩耗しにくく、栗石や割石に限らず砕石や土も利用可能で、緑化にも適し水質浄化作用も期待でき、施工性や経済性に優れたコンクリートブロックであり、護岸、法面保護、洗掘防止等に利用されるコンクリートブロックである。このコンクリートブロックには略筒状部が形成され、底が抜けている。そして、この略筒状部に、栗石、割石、砕石、土又は溶融スラグ等の各種中詰め材が充填されて使用される。ブロックの側壁には、接続筋が設けられており、ブロック同士は、接続筋を接続具で連結する。
【０００４】
しかるに、従来例１，２のブロックで擁壁を構築する際は、各ブロックの壁面に形成した孔にピンを通して、隣接するブロックを結合するようにしているが、ピンと孔に余裕がないので、湾曲した護岸を構築することができないという問題がある。
また、従来例２のブロックでは、筒状であって底が無いので、つぎのような問題がある。
図１３の（Ａ）図に示す急勾配の擁壁100の場合、客土が雨水によって沈下流出したり、地山からブロック101内への水分浸透がなく、植生の水分補給が雨水のみとなり、土の養分が補給されない。
また、同図（Ｂ）に示す緩勾配の擁壁100の場合、水抜き孔102のみでは完全に排水できず根腐れの原因となり、植生の水分補給が雨水のみとなり、土の養分が補給されない。
【０００５】
【特許文献１】特開平１１−８１３５０
【特許文献２】特開２００２−３０６３５
【考案の開示】
【考案が解決しようとする課題】
【０００６】
本考案は上記事情に鑑み、湾曲した護岸を構築することができ、客土の流出がなく、地山からの養分補給が可能で、植生や環境保全に適した護岸ブロックを提供することを目的とする。
【課題を解決するための手段】
【０００７】
第１考案の護岸ブロックは、４辺の側壁と底壁とから箱型に構成されたコンクリートブロックであって、前記側壁には他のコンクリートブロックと結合するための係合ピンの胴部を挿入するピン穴が縦向きに形成されており、前記底壁には、他のコンクリートブロックに挿入している係合ピンの頭部を遊動可能に収容する遊嵌凹部が形成されていることを特徴とする。
第２考案の護岸ブロックは、前記遊嵌凹部が底面視でみて、中央部の幅が狭く、両端に至るにしたがって広幅となるよう形成されていることを特徴とする。
第３考案の護岸ブロックは、前記コンクリートブロックが、ポーラスコンクリート製であることを特徴とする。
【考案の効果】
【０００８】
第１考案によれば、底のついた箱状ブロックであるため、植生用の土や工事中の現地発生土を入れて保持することができ、植生や環境保全をしやすい。また、ブロックを段積みにしても、下段ブロックの係合ピンが上段ブロックの遊嵌凹部に嵌るので、互いにバラけないように拘束でき、しかも係合ピンは遊嵌凹部内で遊動するので、隣接するブロックを互いに傾斜して配置でき、湾曲した護岸ブロックも構成できる。
第２考案によれば、遊嵌凹部の両端部が幅広になっているので、下段ブロックの係合ピンの頭部を幅方向に動かすことができる。このため、湾曲した形の護岸を構築できる。
第３考案によれば、ポーラスコンクリートの細孔を通って通排水でき、地山から水分や養分の補給が可能なので、植生された樹木や植物の生育が可能となり、環境保護に適するものとなる。
【考案を実施するための最良の形態】
【０００９】
つぎに、本考案の実施形態を図面に基づき説明する。
図１は本発明の一実施形態に係る護岸ブロックの斜視図である。図２は同護岸ブロックの平面図である。図３は同護岸ブロックの側面図である。
【００１０】
図１〜図３に示すように、本実施形態の護岸ブロックＡは、４辺の側壁１，２，３，４と底壁５とから箱型に構成されたコンクリートブロックである。なお、１，２は長辺側で、３，４は短辺側である。このように底のついた箱状ブロックであるため、植生用の土や工事中の現地発生土を入れて保持することができ、植生や環境保全をしやすいという利点がある。
【００１１】
前記短辺側の側壁３，４には他の護岸ブロックと結合するための係合ピンＰ１（図６参照）の胴部を挿入するピン穴１１，１２が縦向きに形成されている。この２個のピン穴１１，１２は、各側壁３，４にそれぞれ形成されており、ピン穴１１は側壁３，４の奥行き寸法の中間位置より前面側に位置し、ピン穴１２は側壁３，４の奥行き寸法の中間位置より後面側に位置している。
【００１２】
図２に示すように、前記護岸ブロックＡの底壁５には、他の護岸ブロックＡに挿入している係合ピンＰ１の頭部を遊動可能に収容する遊嵌凹部１３が形成されている。この遊嵌凹部１３の形成位置は、前面側の側壁１のほぼ直下であって、幅方向寸法の中間位置である。
この遊嵌凹部１３は底面視でみて、中央部１３ａの幅Ｗ１が狭く、両端部１３ｂに至るにしたがって幅Ｗ２が広くなるよう形成されている。
また、長辺側の側壁１と短辺側の側壁３，４との交点である２ヵ所の端部にも、底面から上向きに係合凹部１４が形成されている。この係合凹部１４は１本の係合ピンＰの頭部が嵌る大きさである。
【００１３】
前記長辺側の側壁１，２には、２個のピン挿入孔２１，２２が、横方向に間隔をあけて形成されている。このピン挿入孔２１，２２には、他の護岸ブロックＡと結合するための結合ピンＰ２が挿入されるようになっている。
【００１４】
本考案の護岸ブロックＡは、図４に示すように、各側壁１，２，３，４と底壁５との間に、補強リブ６を取付けたものであってもよい。この場合、ブロック全体の剛性が向上する。
【００１５】
図５は部分蓋Ｂを示している。部分蓋Ｂは、護岸ブロックＡの一部分を蓋する部材であり、護岸ブロックＡと同じ幅寸法を有し、奥行き寸法は護岸ブロックＡより小さくなっている。
図示の部分蓋Ｂは形状的には、平板３１の上面にリブ３２を形成したものであるが、このような形状に限る必要はなく、護岸ブロックＡの一部を覆う機能があればよい。
この部分蓋Ｂの幅方向の両端部には、護岸ブロックＡに取付けるためのピン通し孔３３が形成されている。
【００１６】
本実施形態における護岸ブロックＡと部分蓋Ｂは、ポーラスコンクリート製である。ポーラスコンクリートとは、微小な気泡を沢山有するコンクリートである。この構造であると、ポーラスコンクリートの細孔を通って地山等から通排水できるので、植生された樹木や植物の生育が可能となり、環境保護に適するものとなる。
【００１７】
つぎに、本実施形態の護岸ブロックＡを用いた段積み護岸を図６〜図９に基づき説明する。
図６は本発明の護岸ブロックを用いた段積み護岸の断面図である。図７は（Ａ）図は深段積みの説明図、（Ｂ）図は浅段積みの説明図である。図８は（Ａ）図は図５の護岸の一部拡大正面図、（Ｂ）図は一部拡大平面図である。図９は図６の護岸ブロックに部分蓋を付けた護岸の断面図である。
【００１８】
段積み護岸は、図６に示すように、下段側の護岸ブロックＡに上段側の護岸ブロックＡを順に積み上げて構成した護岸である。最下段の護岸ブロックＡは基礎コンクリートＣの上に設置される。なお、ＷＬは河川の通常水位を示している。
【００１９】
図７の（Ａ）図に示すように、下段側ブロックの手前のピン穴１１と遊嵌凹部１３とを係合ピンＰ１で結合すると、急勾配段積みになり、護岸の傾斜角が大きくなる。また、（Ｂ）図に示すように、下段側ブロックの奥側のピン穴１２と遊嵌凹部１３とを係合ピンＰ１で結合すると、緩勾配段積みになり、護岸の傾斜角が小さくる。
【００２０】
図８の（Ａ）図に示すように、段積みした場合は、下段側の護岸ブロックＡにおける側壁３，４のピン穴１１またはピン穴１２に挿入された係合ピンＰ１の頭部は、上段側の護岸ブロックＡにおける遊嵌凹部１３に嵌められる。このため互いにバラけないように拘束できる。しかも既述のごとく遊嵌凹部１３の両端部は幅広になっているので、下段ブロックＡの係合ピン１１の頭部を幅方向に動かすことができる。このため、図８の（Ｂ）図に示すように、平面視で湾曲した形の護岸を構築できる。
【００２１】
図９は段積みした護岸ブロックＡに部分蓋Ｂを取付けたものである。図示のように、水位ＷＬより下方の護岸ブロックＡについては、上段側の護岸ブロックＡとの間の隙間を部分蓋Ｂで蓋をすると、ブロック内を密閉でき、内部に入れた土砂の流出を防止することができる。
【００２２】
つぎに、護岸ブロックＡによる平積み護岸を説明する。図１０は本発明の護岸ブロックを用いた平積み護岸の断面図である。図１１は図１０の護岸の一部拡大平面図である。
【００２３】
平積み護岸の場合は、ピン挿入孔２１，２２に挿入した結合ピンＰ２で、隣接する護岸ブロックＡ同士を結合することができる。このため、互いにバラけないように拘束することができる。この平積み護岸は、傾斜角の緩い護岸に適している。
【００２４】
本考案の護岸ブロックは、図１２に示す（Ａ）図の段積みの場合も、（Ｂ）図の平積みの場合も、つぎのような利点がある。
１）底壁５があることにより、客土の流出がない。
２）ポーラスコンクリート製であるので、側壁１〜４や底壁５の細孔を通って、地山から水分や養分の補給ができ、生物の生息環境を快適にすることができる。このため、植生も環境保全も容易となる。
【図面の簡単な説明】
【００２５】
【図１】本発明の一実施形態に係る護岸ブロックの斜視図である。
【図２】同護岸ブロックの平面図である。
【図３】（Ａ）図は同護岸ブロックの正面図、（Ｂ）図は側面図である。
【図４】本考案の他の実施形態に係る護岸ブロックの斜視図である。
【図５】（Ａ）図は本発明の護岸ブロックで使用される部分蓋の斜視図、（Ｂ）図は同部分蓋の平面図、（Ｃ）図は同部分蓋の側面図である。
【図６】本発明の護岸ブロックを用いた段積み護岸の断面図である。
【図７】（Ａ）図は急勾配段積みの説明図、（Ｂ）図は緩勾配段積みの説明図である。
【図８】（Ａ）図は図５の護岸の一部拡大正面図、（Ｂ）図は一部拡大平面図である。
【図９】図５の護岸ブロックに部分蓋を付けた護岸の断面図である。
【図１０】本発明の護岸ブロックを用いた平積み護岸の断面図である。
【図１１】図９の護岸の一部拡大平面図である。
【図１２】本考案の護岸ブロックの利点の説明図である。
【図１３】従来の護岸ブロックの欠点の説明図である。
【符号の説明】
【００２６】
１，２，３，４    側壁
５    底壁
１１，１２    ピン穴
１３    遊嵌凹部
【図１】
0003118346.tif 000003
【図２】
0003118346.tif 000004
【図３】
0003118346.tif 000005
【図４】
0003118346.tif 000006
【図５】
0003118346.tif 000007
【図６】
0003118346.tif 000008
【図７】
0003118346.tif 000009
【図８】
0003118346.tif 000010
【図９】
0003118346.tif 000011
【図１０】
0003118346.tif 000012
【図１１】
0003118346.tif 000013
【図１２】
0003118346.tif 000014
【図１３】
0003118346.tif 000015
【手続補正書】
【提出日】平成17年11月17日(2005.11.17)
【手続補正１】
【補正対象書類名】実用新案登録請求の範囲
【補正対象項目名】全文
【補正方法】変更
【補正の内容】
【実用新案登録請求の範囲】
【請求項１】
４辺の側壁と底壁とから箱型に構成されたコンクリートブロックであって、
前記側壁には他のコンクリートブロックと結合するための係合ピンの胴部を挿入するピン穴が縦向きに形成されており、
前記底壁には、他のコンクリートブロックに挿入している係合ピンの頭部を遊動可能に収容する遊嵌凹部が形成されている
ことを特徴とする護岸ブロック。
【請求項２】
前記遊嵌凹部が底面視でみて、中央部の幅が狭く、両端に至るにしたがって広幅となるよう形成されている
ことを特徴とする請求項１記載の護岸ブロック。
【請求項３】
前記コンクリートブロックが、ポーラスコンクリート製である
ことを特徴とする請求項１記載の護岸ブロック。